(57)【要約】【課題】  DPOFの設定ではデジタルカメラの表示機の大きさに限界があるため画像確認には小さな画面での画像選択が要求されるという問題点がある。【解決手段】  デジタルカメラとダイレクト印刷可能なプリンタとを接続して、インデックス印刷手段により対象画像のインデックス印刷を行い、その際に画像ごとに判定マークも印刷され、ユーザはデジタルカメラで撮影するだけで（場合によっては判定マークにマーキング）、画像ごとの判定マークを検出して画像ごとに対応したＤＰＯＦ設定用の情報を保存することで、簡単操作で手早く自動でＤＰＯＦ設定を行うようにしたものである。【選択図】  図１
2006319850.tif 000002
【特許請求の範囲】
【請求項１】
画像撮像装置は撮像された画像を保存する保存手段と、保存された画像のインデックス印刷用データを編集するインデックス編集手段と、外部印刷装置と接続して通信する第一の通信手段と、通常の撮像の他に付帯情報付きインデックス印刷画像専用の撮像を行うインデックス画像撮像手段と、前記撮像された画像の付帯情報を判定する判定手段と、前記付帯情報を保存する付帯情報保存手段とを備え、
画像印刷装置は第一の画像印刷手段と、前記画像撮像装置と接続して通信する第二の通信手段と、第二の通信手段によって得た情報をもとに印刷を行う第二の画像印刷手段とを備えたことを特徴とする画像File印刷システム。
【請求項２】
画像撮像装置は撮像された画像を保存する保存手段と、外部印刷装置と接続して通信する第一の通信手段と、第一の通信手段によりインデックス印刷情報を受け取り一時保管するインデックス印刷情報保管手段と、通常の撮像の他に付帯情報付きインデックス印刷画像専用の撮像を行うインデックス画像撮像手段と、前記撮像された画像の付帯情報を前記インデックス印刷情報と比較して判定する判定手段と、前記付帯情報を保存する付帯情報保存手段とを備え、
画像印刷装置は第一の画像印刷手段と、前記画像撮像装置と接続して通信する第二の通信手段と、第二の通信手段によって得た情報をもとにインデックス印刷を行う第二の画像印刷手段とを備えたことを特徴とする画像File印刷システム。
【請求項３】
画像撮像装置は撮像された画像を取り外し可能な記憶媒体に保存する保存手段と、通常の撮像の他に付帯情報付きインデックス印刷画像専用の撮像を行うインデックス画像撮像手段と、外部印刷装置と接続して通信する第一の通信手段とを備え、
画像印刷装置は第一の画像印刷手段と、前記取り外し可能な記憶媒体を接続して画像データを読み出す画像データ読み出し手段と、読み出した画像データを印刷する第二の印刷手段と、読み出した画像データから各画像の付帯情報設定用のインデックス印刷を行う付帯情報設定用インデックス印刷手段と、
前記画像撮像装置と接続して通信する第二の通信手段と、第二の通信手段によって得た前記インデックス印刷画像データから付帯情報を判定する判定手段と、
前記付帯情報をもとに前記付帯情報を前記記憶媒体へ保存する付帯情報保存手段とを備えたことを特徴とする画像File印刷システム。
【請求項４】
画像撮像装置は撮像された画像を取り外し可能な記憶媒体に保存する保存手段と、保存された画像のインデックス印刷用データを編集するインデックス編集手段と、外部印刷装置と接続して通信する第一の通信手段と、通常の撮像の他に付帯情報付きインデックス印刷画像専用の撮像を行うインデックス画像撮像手段と、前記撮像された画像の付帯情報を判定する判定手段と、前記付帯情報を保存する付帯情報保存手段と、印刷対象である前記付帯情報と対応する画像データとを取り出す付帯情報付画像データ判別手段とを備え、
画像印刷装置は第一の画像印刷手段と、前記画像撮像装置と接続して通信する第二の通信手段と、第二の通信手段によって得た前記インデックス印刷用データをもとに印刷を行う第二の画像印刷手段と、取り外し可能な前記記憶媒体を接続して第二の通信手段によって得た前記印刷対象である付帯情報と対応する画像データとを保存する保存手段とを備えたことを特徴とする画像File印刷システム。
【請求項５】
画像印刷装置は内蔵記憶媒体へ第二の通信手段によって得た前記印刷対象である付帯情報と対応する画像データとを保存する保存手段とを備えたことを特徴とする請求項４の画像File印刷システム。
【請求項６】
画像印刷装置は外部記装置を接続して前記憶装置内の記憶媒体へ第二の通信手段によって得た前記印刷対象である付帯情報と対応する画像データとを保存する保存手段とを備えたことを特徴とする請求項４の画像File印刷システム。
【発明の詳細な説明】
【技術分野】
【０００１】
本発明はデジタルカメラとダイレクト印刷可能なプリンタのシステムにおいて選択画像の印刷情報を設定／保存するための印刷システムに関する。
【背景技術】
【０００２】
近年、デジタルカメラで撮影されてメモリカードに保存された画像をプリンタで印刷して整理／保存する機会が増えてきた。
【０００３】
一般的にそれらの画像を印刷するにはメモリカード内の保存画像データを一旦パソコンに取り込みパソコンに接続されたプリンタで印刷する方法である。また最近ではデジタルカメラとプリンタを直接接続して印刷を行うダイレクトプリント方法（CIPA DC-001）、或いはDPOFを使ったデジタルカメラの操作による間接的な印刷の方法がありDOPFで指定した画像を前述ダイレクト印刷時或いはPC印刷時に自動で指定枚数印刷することが出来るようになってきている。
【０００４】
DPOFとは「Digital Print Order Format」の略で画像の中から印刷したいFileや枚数などの指定情報を記録メディアに記録するためのフォーマットである（例えば非特許文献参照）。
【０００５】
また多機能プリンタでメモリカードからチェックボックス付きサムネール印刷を行いユーザが所望の画像に対応するチェックボックスにマーキングし多機能プリンタのスキャナ機能でそれを読み込むことにより所望の画像を印刷する方式も現れてきた（ヒューレットパッカード：特開2002-51283）。
【特許文献１】特開2002-51283号公報
【非特許文献１】DPOF 説明資料http://panasonic.jp/dc/dpof_110/white.htm
【発明の開示】
【発明が解決しようとする課題】
【０００６】
しかしながらDPOFの設定ではデジタルカメラの表示機の大きさに限界があるため画像確認には小さな画面での画像選択が要求されるという欠点がある。
【０００７】
また一画像ごとの印刷枚数の設定になるため、画像選択時に解像度が大きなものでは一画像の表示だけでも時間がかかり、さらに一画像ごと枚数設定においても枚数分の操作が必要であり、またその分の時間も掛かり大量の画像の設定はかなりの煩雑な操作が必要になるという欠点がある。
【０００８】
そのため大量の画像を手早く簡単な操作でDPOF設定処理をするための方法が望まれていた。
【課題を解決するための手段】
【０００９】
そこで本発明ではデジタルカメラとダイレクト印刷可能なプリンタとを接続して、インデックス印刷手段により対象画像のインデックス印刷を行い、その際に画像ごとに判定マークも印刷され、ユーザはデジタルカメラで撮影するだけで（場合によっては判定マークにマーキング）、画像ごとの判定マークを検出して画像ごとに対応したDPOF設定用の情報を保存することで、簡単操作で手早く自動でDPOF設定を行うようにしたものである。
【発明の効果】
【００１０】
本発明によれば、以上説明したように、デジタルカメラとダイレクト印刷可能なプリンタとを接続して、自動DPOF設定モードを開始するとデジタルカメラでは記録メディアに保存されている画像を読み出しインデックス印刷用データの編集が行われそのデータがプリンタへ転送されインデックス印刷を行う。
【００１１】
インデックス印刷の各画像ごとに設けられたDPOF設定用判定マークをデジタルカメラで撮影すれば、デジタルカメラ内で各画像ごとの判定マークを判定して印刷設定情報が記録メディアに保存されることにより簡単に手早く所望の画像を確実に確認しながらDPOFの設定が自動で行われ利便性が向上するという効果がある。
【００１２】
また別の方法ではデジタルカメラとダイレクト印刷可能なプリンタとを接続して、自動DPOF設定モードを開始するとデジタルカメラでは記録メディアに保存されている画像を読み出しプリンタへ転送されインデックス印刷用データの編集後インデックス印刷を行う。
【００１３】
インデックス印刷の各画像ごとに設けられたDPOF設定用判定マークをデジタルカメラで撮影すれば、デジタルカメラ内で判定マークを判定して印刷設定情報が記録メディアに保存される。以上により簡単に手早く所望の画像を確実に確認しながらDPOFの設定が自動で行われ利便性が向上するという効果がある。
【００１４】
また別の方法ではデジタルカメラでの撮影画像が保存された取り外し可能な記録メディアをプリンタに接続し、またデジタルカメラとダイレクト印刷可能なプリンタとを接続して、自動DPOF設定モードを開始するとプリンタでは記録メディアに保存されている画像を読み出しインデックス印刷用データに編集後インデックス印刷を行う。
【００１５】
インデックス印刷の各画像ごとに設けられたDPOF設定用判定マークをデジタルカメラで撮影すれば、デジタルカメラから撮影データがプリンタへ転送され判定マークの判定を行い印刷設定情報を記録メディアに保存する。以上により簡単に手早く所望の画像を確実に確認しながらDPOFの設定が自動で行われ利便性が向上するという効果がある。
【００１６】
また別の方法では、デジタルカメラとダイレクト印刷可能なプリンタとを接続して、自動DPOF設定モードを開始するとデジタルカメラでは記録メディアに保存されている画像を読み出しインデックス印刷用データの編集が行われそのデータがプリンタへ転送されインデックス印刷を行う。
【００１７】
インデックス印刷の各画像ごとに設けられたDPOF設定用判定マークをデジタルカメラで撮影すれば、デジタルカメラ内で各画像ごとの判定マークを判定して印刷設定情報が記録メディアに保存され、さらに印刷枚数設定された画像データは設定情報とともにプリンタへ転送されプリンタ内の記録メディアに保存されることにより簡単に手早く所望の画像を確実に確認しながらDPOFの設定が自動で行われさらに印刷用データだけ記録メディアに自動で保存されるため印刷用途において利便性が向上するという効果がある。
【００１８】
また別の方法ではプリンタで上記記録メディアとして内蔵記憶媒体が使用されて印刷枚数設定された画像データと設定情報とともに保存されることにより簡単に手早く所望の画像を確実に確認しながらDPOFの設定が自動で行われさらに印刷用データだけ記録メディアに自動で保存されるため印刷用途において利便性が向上するという効果がある。
【００１９】
また別の方法ではプリンタで上記記録メディアとして外部記憶媒体が接続されて印刷枚数設定された画像データと設定情報とともに保存されることにより簡単に手早く所望の画像を確実に確認しながらDPOFの設定が自動で行われさらに印刷用データだけ記録メディアに自動で保存されるため印刷用途において利便性が向上するという効果がある。
【発明を実施するための最良の形態】
【００２０】
図１は本発明を最も良く表わす図である。
【００２１】
１０１は対象物をデジタル画像として撮影したり保存されている画像を再生表示するなどを行うデジタルカメラ（以下DSCと称す）であり１０２はファインダー、１０３はシャッター押しボタンである。
【００２２】
１０４は撮影された画像を保存するコンパクトフラッシュ（登録商標）（以下CFと称す）カードである。
【００２３】
１１０は再生モードと撮影モードを切り替えるスライドスイッチ、１１１は液晶表示機（以下LCDと称す）、１１２はLCD１１１にメニュ画面を表示するメニュ押しボタン、１１３はメニュ画面の項目を選択決定するセット押しボタン、１１４はメニュ画面の項目を切り替える切り替えボタンである。
【００２４】
１２０はプリンタであり、DSC１０１とUSB接続することにより、ダイレクトに印刷できる機能を持つ。
【００２５】
DSC１０１のスライドスイッチ１１０を再生側にして再生モードに設定し、メニュ押しボタン１１２を押下するとLCD画面はメニュ選択画面に切り替わり、ここで切り替えボタン１１４とセット押しボタン１１３を操作することによりDPOF自動設定モードを選択等を行うと、DSC１０１は先ずインデックス印刷用画像データをプリンタ１２０への送信を開始する。インデックス印刷用画像データは再生時に選択されていたフォルダ内の画像FILEすべてについて処理される。
【００２６】
プリンタ１２０では受信したデータをもとにDPOF設定用に使用するインデックス印刷を開始する。
【００２７】
１３０はそのDPOF設定用に使用するインデックス印刷の結果例である。
【００２８】
インデックス印刷結果には通常のインデックス画像に加え、１３0の各画像ごとにDPOF設定用チェックボックス131と１３２のコーナー３箇所に位置決め用の「＋」マークが追加されて印刷される。
【００２９】
DPOF設定用チェックボックス１３１は、各画像につき4箇所塗りつぶしが出来るようになっており、塗りつぶした数によって枚数を設定出来るようになっている。
【００３０】
また印刷が複数枚数にまたがる場合は何枚目かを画像判定できるページマーク（例えば《2枚／４枚中》の意味で「｜｜／｜｜｜｜」不図示）が用紙の右下等の特定位置に印刷される。
【００３１】
ユーザはこのDPOF設定用チェックボックス１３１に必要枚数分の塗りつぶしを行う。
【００３２】
次にDSC１０１をDPOF自動設定モードの状態のままスライドスイッチ１１０を再生側から撮影側へ切り替え撮影モードにすると、LCD１１１の表示画面上に位置決め用の「＋」マーク画像が３箇所表示される。
【００３３】
その位置決め用「＋」マーク画像をインデックス印刷１３０の位置決め用「＋」マーク１３２に合わせ込み、撮影を行う。
【００３４】
DSC１０１内ではその取り込んだ画像データの解析を開始してDPOF設定用情報を抜き出し各画像ごとにDPOFの設定処理を行うことになる。
【００３５】
次に各部の詳細説明に入る。
【００３６】
図２は本システムのブロック図を表わす。
【００３７】
図中１０１は前述のDSCを表わしており、２０２は中央処理部であるCPU、２０３はプログラム等が保存されている読み出し専用メモリであるROM、２０４は一時保存用メモリのRAM、２０５はCCD撮像部（不図示）を制御するCCD制御部、２０６は前述スライドスイッチ１１０等の操作スイッチ等各種I/O部を制御するI/Oコントローラ、２０７はLCD１１１の表示制御をするグラフィックコントローラ、２０９はCFカード１０４を制御するカードコントローラ、２１１は外部とUSB接続するためのUSBI/F、２１２はUSBI/F２１１を制御するUSBコントローラである。
【００３８】
一方１２０は前述のプリンタであり、２２１は中央処理部であるCPU、２２２はプログラム等が保存されている読み出し専用メモリであるROM、２２３は一時保存用メモリのRAM、２２４は印刷処理を行うプリンタエンジン部、２２５はプリンタエンジン部２２４を制御するプリンタコントローラ、２２７は外部例えばパーソナルコンピュータとUSB接続して印刷データ等の通信を行う為のUSBI/F、２２６はUSBI/F２２７を制御するUSBコントローラ、２２９は外部デバイス例えばDSC等とUSB接続するためのUSB（HOST）I/F、２２８はUSB（HOST）I/F２２９を制御するUSBHOSTコントローラである。
【００３９】
DSC１０１はスライドスイッチ１１０を「撮影」モードに設定してファインダー１０２或いはLCD１１１の表示画面を見ながら撮影対象に焦点を合わせてシャッター押しボタン１０３を押下すると、CPU２０２がROM２０３内のプログラム従って押下信号をＩ/Oコントローラ２０６より取り込むことによりCCD制御部２０５を制御して撮影処理を行い、撮影された画像は一旦RAM２０４に保存されその後カードコントローラ２０９経由でCFカード１０４内の特定フォルダに保存し、撮影は終了する。
【００４０】
DPOFの印刷枚数設定を自動で行うための操作は、DSC１０１のスライドスイッチ１１０を再生側にして再生モードに設定し、メニュ押しボタン１１２を押下するとI/Oコントローラ２０６を介し、CPU２０２はLCD１１１の画面がメニュ選択画面に切り替わるようグラフィックコントローラ２０７へ指示し、ここで切り替えボタン１１４とセット押しボタン１１３を適宜操作することによりDPOF自動設定モードに選択されたことをI/Oコントローラ２０６を介してCPU２０２が認識し、DPOF自動設定モードが開始される。その後USB接続を行う。
【００４１】
CPU２０２は先ずインデックス印刷用画像データをプリンタ１２０への送信するための処理を開始する。
【００４２】
カードコントローラ２０９を介してCFカード１０４より該当FILEデータを読込みRAM２０４で展開し、インデックス印刷用データを作成する。
【００４３】
作成されたインデックス印刷用データはUSBコントローラ２１２を介してUSBI/F２１１からプリンタ１２０へ送信される。（実際はUSB接続時にネゴシエーションが行われプリンタ側もDPOF自動設定モードに入り、プリンタ側がDSCに対し要求を出した後データが送信される）
プリンタ１２０のUSB（HOST）I/F２２９で受信したインデックス印刷データはUSBHOSTコントローラ２２８を介してRAM２２３に一時保存され、CPU２２１の制御のもとROM２２２に保存されたプログラムに従いプリンタコントローラ２２５へ印刷データが送られ画像処理がなされた後プリンタエンジン部２２４へ送られ印刷動作が開始される。
【００４４】
図３に印刷結果の一例を示す。
【００４５】
この例ではインデックス用画像Ａ、Ｂ、Ｃ、Ｄが図のように配置されて印刷される。
【００４６】
加えてDPOF設定用チェックボックス１３１が印刷されて、ユーザは各画像の印刷希望枚数だけチェックボックスを塗りつぶす。図３印刷例ではＡ画像の印刷希望枚数は「０」枚、Ｂ画像は「１」枚、Ｃ画像は「２」枚、Ｄ画像は「３」枚を表している。
【００４７】
さらにコーナー３箇所には位置決め用「＋」マーク１３２が印刷される。
【００４８】
また前述のごとく印刷が複数枚数にまたがる場合は何枚目かが判定できるページマーク（不図示）も印刷される。
【００４９】
次にDSC１０１では、インデックス印刷終了後DPOF自動設定モードの状態のままスライドスイッチ１１０を再生側から撮影側へ切り替え撮影モードにすると、LCD１１１の表示画面上に位置決め用の「＋」マーク画像が３箇所表示される。その様子を図４に示す。
【００５０】
１１８は３箇所が新たに表示画面上に現われる位置決め用「＋」マーク表示である。
【００５１】
図４では更にＬＣＤ１１１にインデックス印刷１３０の用紙（斜線部）が表示された状態を示している。
【００５２】
ユーザは位置決め用「＋」マーク表示１１８をインデックス印刷１３０内の位置決め用「＋」マーク１３２に合わせ込むようDSC１０１を移動して位置を決めてシャッター押しボタン１０３を押下して撮影を行う。
【００５３】
ここでの画像取り込みの目的は各インデックス画像のマーキング読み取りにある。
【００５４】
従ってマーキング及び「＋」マークが解析できる程度の低解像度、低階調さらにモノクロ画像でよく、本実施例では640×480画素、２bit４階調モノクロで「０」をシロ、「０」以外をクロと判定して処理をする。
【００５５】
取り込んだ画像データはＲＡＭ２０４上に展開してDPOF設定用チェックボックスの解析を開始する。
【００５６】
図５、６に解析の一例を示す。
【００５７】
本発明の解析方法は2段階に分けて解析を行う。
【００５８】
第一段階では取り込んだ画像（インデックス印刷１３０）内で、位置決め用「＋」マーク１３２が決められたゾーン内にあるかを検出し判定する。
【００５９】
図５内の５０１，５０２，５０３，５０４が検出ゾーンを表す。
【００６０】
インデックス印刷１３０のＲＡＭ２０４上に展開した画像データで上記検出ゾーンを走査して、位置決め用「＋」マーク１３２を３箇所見つかるかどうかを判定する。
【００６１】
見つかれば第二段階として図６に示したごとくチェックボックス検出ゾーン６０１、６０２の走査を行う。
【００６２】
チェックボックス検出ゾーン６０１の左端から走査を開始して画像Aの最初のチェックボックス６１１をモノクロ判定し、この場合は「シロ」であるため、印刷設定は「０」枚と判定される。順に右方向へ走査を続け次は画像Bのチェックボックス６１２の判定を行う。
【００６３】
画像Bの判定では最初のチェックボックスのみ「クロ」であるため印刷設定は「１」枚と判定される。同様にチェックボックス検出ゾーン６０２の左端から走査し画像Cのチェックボックス６１３をモノクロ判定し、この場合は「クロ」が二箇所連続するため印刷設定は「２」枚と判定され、画像Dのチェックボックス６１４の判定では「クロ」が３箇所連続するため印刷設定は「３」枚と判定される。
【００６４】
各画像の位置は予めわかっているため、このように画像ごとに印刷枚数を判定しながら、画像に対応したFILEに印刷枚数設定を行っていく。
【００６５】
画像ごとの印刷枚数の設定は図２のカードコントローラ２０９を介してCFカード１０４内のDPOF設定への書き込みとして処理される。
【００６６】
また画像の数が今回は４枚であるが、画像の数が多くてインデックス印刷に収まらない場合は、前述のごとく特定の位置に何枚目かを画像判定できるページマーク（例えば《2枚／４枚中》の意味で「｜｜／｜｜｜｜」不図示）が印刷されるのでこれで判別する。
【００６７】
次に第一段階のインデックス印刷１３０の画像内で上記検出ゾーンを走査して、位置決め用「＋」マーク１３２が３箇所見つけられなかった場合の第二段階対応例を説明する。
【００６８】
具体的事例としては対象のインデックス印刷１３０画像の撮影時に「＋」マークがずれて斜めに撮影してしまった場合である。
【００６９】
そのため「＋」マーク間が斜めに傾いていたり、「＋」マーク間が短かったり長かったりの結果になる。この場合は処理が複雑になるが「＋」マークの座標を測定して前述図６に示したチェックボックス検出ゾーン６０１、６０２の座標変換処理を行う。
【００７０】
処理が終われば前述同様チェックボックス検出ゾーン６０１から順に各チェックボックスを走査判定を行っていき、結果が図２のカードコントローラ２０９を介してCFカード１０４内のDPOF設定への書き込みとして処理される。
【００７１】
上記解析処理の様子をフローチャートで説明する。
【００７２】
図７はそのチェックボックス解析処理のフローチャートである。
【００７３】
チェックボックス解析処理を開始すると、７０１で検出ゾーンを走査して、位置決め用「＋」マーク１３２を３箇所見つかるかどうかを判定する。
【００７４】
見つかれば７０２へ見つからなければ７０６へ進む。
【００７５】
７０２ではチェックボックス検出ゾーンの走査を行う。
【００７６】
７０３では走査の結果と各画像ごとのチェックボックスの座標位置関係より、各画像Fileの印刷枚数を算出する。７０４では全チェックボックス検出ゾーンについて終了したかの判定を行い終了していなければ７０２からの処理を繰り返し、終了していれば７０５へ進む。
【００７７】
７０６では「＋」マークの座標を計測して、７０７でその座標を正規「＋」マークからのずれ分を算出し、チェックボックス検出ゾーンをずらすための座標変換処理を行ない７０２へ進む。以下の処理は前述処理と同様である。
【００７８】
７０５では各画像Fileごと算出された印刷枚数でDPOF設定処理を行い、解析処理は終了する。
【００７９】
尚自動DPOF設定の範囲は再生画面を開いていたフォルダ内の画像Fileすべてについて行う。別フォルダの処理についてはそのフォルダを開いた時行われる。
【００８０】
以上が簡単な操作によりDPOF設定が自動で行われる処理の説明である。
【００８１】
上記説明の中でインデックス印刷編集をDSC１０１で行っているが、他の方法としてプリンタ１２０でインデックス印刷編処理を行い、そのインデックス印刷情報（特に画像の位置情報）をDSC１０１に転送して画像検出の基本データとして解析処理をする方法もある。
【００８２】
（実施例特有の効果）
DSCの簡単な操作によりインデックス印刷から画像選択、画像読み込みまでを行うことにより、DPOF設定が容易に、しかも画像選択においてDSCLCD表示による選択に比べて、より大きなインデックス印刷画像で確認しながらまた画像選択にボタン操作の必要が無いため大量の画像量であっても手早く簡単に行えるという効果がある。
【００８３】
（第二の実施例）
本実施例は前実施例のプリンタにCFカードの内容が読み込み可能なカードコントローラが実装されている場合である。
【００８４】
図８にそのシステムブロック図を示す。
【００８５】
図中８０１はカードコントローラで共通バスに接続されている。８０２はCFカードでありDSC１０１で撮影された画像Fileが保存されたCFカード１０４がDSC１０１から取り外され前述プリンタ１２０のカードコントローラ８０１に装着された状態である。
【００８６】
通常はCFカードが装着されるとプリンタ１２０はCFカードの内容を印刷できるモードになる。プリンタの表示機（不図示）とパネル（不図示）操作で所望の画像を選択して印刷を行う。
【００８７】
DPOFの印刷枚数設定を自動で行うための操作は、図のごとくプリンタ１２０とDSC１０１をUSBで接続を行い、前述図１に示したDSC１０１のスライドスイッチ１１０を再生側にして再生モードに設定し、メニュ押しボタン１１２を押下するとI/Oコントローラ２０６を介し、CPU２０２はLCD１１１の画面がメニュ選択画面に切り替わるようグラフィックコントローラ２０７へ指示し、ここで切り替えボタン１１４とセット押しボタン１１３を適宜操作することによりDPOF自動設定モードに選択されたことをI/Oコントローラ２０６を介してCPU２０２が認識し、DPOF自動設定モードが開始される。その後USB接続を行う。
【００８８】
DSC１０１は先ずプリンタ１２０へUSBコントローラ２１２を介してUSBI/F２１１からインデックス印刷指示を送信する（実際はプリンタ側がDSCに対し指示を要求する）。
【００８９】
プリンタ１２０ではUSB（HOST）I/F２２９で受信しUSBHOSTコントローラ２２８を介して取り込んだインデックス印刷指示により、カードコントローラ８０１を介してCFカード８０２より該当FILEデータを読込み、CPU２２１の制御のもとROM２２２に保存されたプログラムに従いプリンタコントローラ２２５へ印刷データが送られ画像処理がなされた後プリンタエンジン部２２４へ送られ印刷動作が開始される。
【００９０】
印刷結果の一例としては前述図３に示したものと同様である。
【００９１】
次にDSC１０１では、インデックス印刷終了後DPOF自動設定モードの状態のままスライドスイッチ１１０を再生側から撮影側へ切り替え撮影モードにすると、LCD１１１の表示画面上に位置決め用の「＋」マーク画像が３箇所表示される。その様子は前述図４と同様である。
【００９２】
１１８は３箇所が新たに表示画面上に現われる位置決め用「＋」マーク表示である。
【００９３】
前述図４で示したごとくＬＣＤ１１１にインデックス印刷１３０の用紙（斜線部）が表示された状態を示している。
【００９４】
ユーザは位置決め用「＋」マーク表示１１８をインデックス印刷１３０内の位置決め用「＋」マーク１３２に合わせ込むようDSC１０１を移動して位置を決めてシャッター押しボタン１０３を押下して撮影を行う。
【００９５】
ここでの画像取り込みの目的は各インデックス画像のマーキング読み取りにある。
【００９６】
従ってマーキング及び「＋」マークが解析できる程度の低解像度、低階調さらにモノクロ画像でよく、本実施例では640×480画素、２bit４階調モノクロで「０」をシロ、「０」以外をクロと判定して処理をする。
【００９７】
取り込んだ画像データはプリンタ１２０へ送信される（実際はプリンタ側がデータ要求）。
【００９８】
プリンタ１２０での解析方法は前述図５、６と同様、2段階に分けて解析を行う。
【００９９】
第一段階では取り込んだ画像（インデックス印刷１３０）内で、位置決め用「＋」マーク１３２が決められたゾーン内にあるかを検出し判定する。
【０１００】
図５内の５０１，５０２，５０３，５０４が検出ゾーンを表す。
【０１０１】
インデックス印刷１３０のＲＡＭ２０４上に展開した画像データで上記検出ゾーンを走査して、位置決め用「＋」マーク１３２を３箇所見つかるかどうかを判定する。
【０１０２】
見つかれば第二段階として図６に示したごとくチェックボックス検出ゾーン６０１、６０２の走査を行う。
【０１０３】
チェックボックス検出ゾーン６０１の左端から走査を開始して画像Aの最初のチェックボックス６１１をモノクロ判定し、この場合は「シロ」であるため、印刷設定は「０」枚と判定される。順に右方向へ走査を続け次は画像Bのチェックボックス６１２の判定を行う画像Bの判定では最初のチェックボックスのみ「クロ」であるため印刷設定は「１」枚と判定される。同様にチェックボックス検出ゾーン６０２の左端から走査し画像Cのチェックボックス６１３をモノクロ判定し、この場合は「クロ」が二箇所連続するため印刷設定は「２」枚と判定され、画像Dのチェックボックス６１４の判定では「クロ」が３箇所連続するため印刷設定は「３」枚と判定される。
【０１０４】
各画像の位置は予めわかっているため、このように画像ごとに印刷枚数を判定しながら、画像に対応したFILEに印刷枚数設定を行っていく。
【０１０５】
画像ごとの印刷枚数の設定は図８のカードコントローラ８０１を介してCFカード８０２内のDPOF設定への書き込みとして処理される。
【０１０６】
また画像の数が今回は４枚であるが、画像の数が多くてインデックス印刷に収まらない場合は、前述のごとく特定の位置に何枚目かを画像判定できるページマーク（例えば《2枚／４枚中》の意味で「｜｜／｜｜｜｜」不図示）が印刷されるのでこれで判別する。
【０１０７】
次に第一段階のインデックス印刷１３０の画像内で上記検出ゾーンを走査して、位置決め用「＋」マーク１３２が３箇所見つけられなかった場合の第二段階対応例を説明する。
【０１０８】
具体的事例としては対象のインデックス印刷１３０画像の撮影時に「＋」マークがずれて斜めに撮影してしまった場合である。
【０１０９】
そのため「＋」マーク間が斜めに傾いていたり、「＋」マーク間が短かったり長かったりの結果になる。この場合は処理が複雑になるが「＋」マークの座標を測定して前述図６に示したチェックボックス検出ゾーン６０１、６０２の座標変換処理を行う。
【０１１０】
処理が終われば前述同様チェックボックス検出ゾーン６０１から順に各チェックボックスを走査判定を行っていき、結果が図８のカードコントローラ８０１を介してCFカード８０２内のDPOF設定への書き込みとして処理される。
【０１１１】
（実施例特有の効果）
DSCの簡単な操作によりインデックス印刷から画像選択、画像読み込みまでを行うことにより、DPOF設定が容易に、しかも画像選択においてDSCLCD表示による選択に比べて、より大きなインデックス印刷画像で確認しながらまた画像選択にボタン操作の必要が無いため大量の画像量であっても手早く簡単に行えるという効果がある。
【０１１２】
（第三の実施例）
本実施例は前述第二の実施例と同様プリンタにCFカードの内容が読み込み可能なカードコントローラが実装されている場合であり、プリンタとDSCのCFカードには撮影された画像が保存されておりプリンタには新規のCFカードが装着されている場合である。
【０１１３】
前述同様図８のシステムブロック図で説明する。
【０１１４】
本実施例では第一の実施例と同等処理によりDPOF設定が終了した後、DPOF設定された画像FileのみをDPOF設定情報とともにプリンタ１２０がDSC１０１に対して送信要求して受け取った情報を図８のプリンタ１２０内のCFカードへ保存する。
【０１１５】
本発明では保存用メディアとしてCFカードを採用したが、これは他のストレージ例えばハードディスク、CD-R、DVD、MO等であっても構わない。
【０１１６】
またそれらは内蔵の形態だけでなくUSB等の外付けであっても構わない。
【０１１７】
また実施例１、２、３のインターフェースはUSBI/Fを使用していたが別のI/F例えばIEEE1394I/Fであっても構わない。
【０１１８】
また若干構成は異なるがEthernet（登録商標）等の有線接続やIRDA、802.11x、Bluetooth等の無線接続であっても構わない
（実施例特有の効果）
DSCの簡単な操作によりインデックス印刷から画像選択、画像読み込みまでを行うことにより、DPOF設定が容易に、しかも画像選択においてDSCLCD表示による選択に比べて、より大きなインデックス印刷画像で確認しながらまた画像選択にボタン操作の必要が無いため大量の画像量であっても手早く簡単に行えるという効果がある。
【０１１９】
また選択した印刷用画像だけをDPOF情報とともに自動で新規コピーが実行されるため情報の整理の手間が省くことができ使い勝手が向上するという効果がある。
【０１２０】
（第四の実施例）
本実施例は前述第一、第二、第三の実施例で説明された画像特定方法に比べDSCの特性をさらに生かした別方法で実現する。
【０１２１】
図９にインデックス印刷例２を示す。
【０１２２】
図中１３３，１３４，１３５，１３６はそれぞれ画像Ａ、Ｂ、Ｃ、Ｄに対応した判別マークである。
【０１２３】
前述第一、第二、第三の実施例のプリンタ１２０で前記インデックス印刷を行うと、DSC１０１で所望の画像に対応した判定マークを表示機内に現れた枠（不図示）に合わせて撮像する。
【０１２４】
マーク判定は実施例一の図６で説明したごとく検出ゾーンを設けその幅で検出を行い縦棒が何本あるかを検出する方法をとる。そしてインデックス印刷用のもとデータと比較して該当する画像を特定する。
【０１２５】
この判定画像に対してその都度印刷枚数のDPOF設定を行う。
【０１２６】
印刷希望枚数が複数枚の場合はその回数分撮像を繰り返し、その都度DPOF設定における該当画像印刷枚数の値が更新される。
【０１２７】
或いはまた判定マークが文字等の場合、マーク判定はOCRを使用しインデックス印刷用のデータと比較して該当する画像を特定する（DSCの性能に合わせて判定マークにバーコードその他のマークであっても良い）。
【０１２８】
この判定画像に対してその都度DPOF設定を行う。
【０１２９】
印刷希望枚数が複数枚の場合はその回数分撮像を繰り返し、その都度DPOF設定における該当画像印刷枚数の値が更新される。
【０１３０】
DSCの性能によっては判定マークの代わりに所望の印刷画像そのままを撮像して取り込み、画像認識をして該当画像を判定しDPOF設定をすることもできる。
判定の難しい場合に補助的に判定マークを使用しても良い。
【０１３１】
（実施例特有の効果）
DSCの簡単な操作によりインデックス印刷、画像読み込みまでを行うことにより、DPOF設定が容易に、しかも画像選択においてDSCLCD表示による選択に比べて、より大きなインデックス印刷画像で確認しながらまた画像選択にはDSCによる撮影操作だけで良いため大量の画像量であっても手早く簡単に行えるという効果がある。
【図面の簡単な説明】
【０１３２】
【図１】本発明の構成を示す構成図。
【図２】全体の構成を示すシステムブロック図。
【図３】インデックス印刷例を示す図。
【図４】DPOF自動設定における画像取り込み時のデジタルカメラLCD表示画面を示す図。
【図５】画像解析例１を示す図。
【図６】画像解析例２を示す図。
【図７】DPOF自動設定処理のフローチャートを示す図。
【図８】第二実施例の全体構成を示すシステムブロック図。
【図９】インデックス印刷例２を示す図。
【符号の説明】
【０１３３】
１０１  デジタルカメラ
１０２  ファインダー
１０３  シャッター押しボタン
１０４  CFカード
１２０  プリンタ
１３０  インデックス印刷例
【図１】
2006319850.tif 000003
【図２】
2006319850.tif 000004
【図３】
2006319850.tif 000005
【図４】
2006319850.tif 000006
【図５】
2006319850.tif 000007
【図６】
2006319850.tif 000008
【図７】
2006319850.tif 000009
【図８】
2006319850.tif 000010
【図９】
2006319850.tif 000011